(57)【要約】【課題】工場で組み立てられたバスユニットを使用し、気密処理を容易に行うことができるバスユニットの施工方法及びバスユニットの設置構造を提供すること。【解決手段】バスユニット２を設置区画１１に設置する前に、気密材３をバスユニット２の壁パネル２１３Ａ，２１３Ｂの下部に取り付けておく。次に、気密材３が壁１２３Ａ，１２３Ｂに当接するように、バスユニット２を設置区画１１に吊り込む。このような本発明では、バスユニット２を設置区画１１に設置すると同時に気密処理できるので、気密処理に手間がかからない。また、バスユニット２に予め気密材３が取り付けられているので、バスユニット２を設置した後、作業者の手が届かないような部分であっても確実に気密処理できる。【選択図】　図３
2004036125.tif 000002
【特許請求の範囲】
【請求項１】
予め工場において組み立てられたバスユニットを建物内に形成された設置区画に設置するバスユニットの施工方法であって、
前記設置区画を形成する基礎の内面、前記基礎上に立設された壁の内面及びバスユニットの下部外面のうちの少なくとも何れか一方の面に、気密材を取り付け、
前記気密材が前記バスユニットの下部外面と、前記基礎の内面または壁の内面との間を塞ぐように前記バスユニットを設置区画に設置することで、前記バスユニットの下部外面と、前記基礎または壁の内面との間の気密処理が行われることを特徴とするバスユニットの施工方法。
【請求項２】
請求項１に記載のバスユニットの施工方法において、
ブロック状の弾性体である気密材をバスユニットの側部の下部外面に取付け、
前記気密材が前記基礎上に立設された壁の内面に当接するように前記バスユニットを設置区画に設置することで、前記バスユニットの側部の下部外面と、前記壁の内面との間の気密処理が行われることを特徴とするバスユニットの施工方法。
【請求項３】
請求項１に記載のバスユニットの施工方法において、
前記バスユニットの底部外面及び前記基礎の内面に、シート状の気密材を取付け、
前記気密材が重なり合うように前記バスユニットを設置区画内に設置することで、前記基礎の内面と、前記バスユニットの底部外面との間の気密処理が行われることを特徴とするバスユニットの施工方法。
【請求項４】
請求項１から３の何れかに記載のバスユニットの施工方法において、
前記基礎上に直交する少なくとも二枚の壁を立設し、
前記バスユニットの側部の外面に、スペーサを取付けた後、
前記バスユニットを前記設置区画に設置すると、前記スペーサが前記壁に当接し、前記バスユニットが位置決めされることを特徴とするバスユニットの施工方法。
【請求項５】
建物内の設置区画に設置されたバスユニットの設置構造であって、
前記設置区画を形成する基礎の内面、前記基礎上に立設された壁の内面及びバスユニットの下部外面のうちの少なくとも何れか一方には、気密材が取り付けられており、
前記気密材により、前記バスユニットの下部外面と、前記基礎の内面または壁の内面との間が塞がれていることを特徴とするバスユニットの設置構造。
【請求項６】
請求項５に記載のバスユニットの設置構造において、
前記気密材は、前記バスユニットの側部の下部外面に取り付けられたブロック状の弾性体であり、
この気密材により、前記バスユニットの側部の下部外面と、前記基礎上に立設された壁の内面との間が塞がれていることを特徴とするバスユニットの設置構造。
【請求項７】
請求項５に記載のバスユニットの設置構造において、
前記基礎の内面及び前記バスユニットの底部外面には、シート状の気密材が取り付けられており、
前記気密材は互い重なり合っていることを特徴とするバスユニットの設置構造。
【請求項８】
請求項５から７の何れかに記載のバスユニットの設置構造において、
前記バスユニットの側部の外面には、前記基礎上に立設された直交する二枚の壁に当接するスペーサが取り付けられていることを特徴とするバスユニットの設置構造。
【請求項９】
請求項８に記載のバスユニットの設置構造において、
前記スペーサは、前記壁に当接するばね部を有することを特徴とするバスユニットの設置構造。
【発明の詳細な説明】
【０００１】
【発明の属する技術分野】
本発明は、バスユニットの施工方法及び設置構造に関する。
【０００２】
【背景技術】
建築現場での施工作業の軽減を図るため、浴室のユニット化が進んでいる。しかし、防水パン、壁パネル、天井パネル等の部材は、施工現場で取り付けられることが多かった。取り付けによる誤差をなくし、より完全な防水性を確保するためには、工場においてこれらのパネル等を取り付けておく必要がある。そこで、壁パネル、天井パネル等が取り付けられたボックス状のバスユニットが提案されている（特開２０００−１５８９１０号公報参照）。
一方、近年の高断熱、高密度の住宅の普及に伴い、さらなる高断熱、高密度化が要求されている。さらなる高断熱、高密度化を図るためには、従来、気密処理を施していなかった浴室の周囲（バスユニットと、基礎との間、あるいはバスユニットと、基礎上に立設された壁との間）について、気密処理を施すことが必要とされている。
【０００３】
【発明が解決しようとする課題】
ボックス状のバスユニットの周囲の気密処理を行う場合、バスユニットには予め壁パネルが取り付けられているので、バスユニットと基礎や壁との間の気密処理が行いにくいという問題がある。特に、基礎上に壁が立設されている場合には、壁とバスユニットの壁パネルとの間には、作業者の手が届かず、気密処理を行うことが困難である。
【０００４】
本発明の目的は、工場で組み立てられたバスユニットを使用し、気密処理を容易に行うことができるバスユニットの施工方法及びバスユニットの設置構造を提供することである。
【０００５】
【課題を解決するための手段】
そのため、本発明は以下の構成を採用して前記目的を達成しようとするものである。
具体的には、本発明のバスユニットの施工方法は、予め工場において組み立てられたバスユニット２を建物１内に形成された設置区画１１に設置するバスユニットの施工方法であって、前記設置区画を形成する基礎１２の内面、前記基礎上に立設された壁１２３Ａ〜１２３Ｄの内面及びバスユニットの下部外面のうちの少なくとも何れか一方の面に、気密材３，３’を取り付け、前記気密材が前記バスユニットの下部外面と、前記基礎の内面または壁の内面との間を塞ぐように前記バスユニットを設置区画に設置することで、前記バスユニットの下部外面と、前記基礎または壁の内面との間の気密処理が行われることを特徴とする。
【０００６】
ここで、基礎及び壁の内面とは、設置区画に設置されたバスユニットに対向する面のことをいう。
また、バスユニットの下部外面は、バスユニットの側部の下部外面であってもよく、また、バスユニットの底部の外面であってもよい。すなわち、バスユニットの側部の下部外面と、基礎または壁の内面との間を気密材で塞いでもよく、また、バスユニットの底部の外面と、基礎または壁の内面との間を気密材で塞いでもよい。
【０００７】
本発明では、設置区画にバスユニットを設置する前に、基礎または壁の内面及びバスユニットの下部外面のうち少なくとも何れか一方の面に、気密材を取り付けている。そのため、気密材がバスユニットの下部外面と、基礎または壁の内面との間を塞ぐようにバスユニットを設置すれば、バスユニットの設置と同時に、バスユニットの下部外面と、基礎または壁の内面との間の気密処理を行うことができ、気密処理に手間がかからない。
また、予め、気密材は、バスユニットの下部等に取り付けられているので、バスユニットを設置した後に作業者の手が届かないような部分も確実に気密処理できる。
さらに、バスユニットを設置する前に気密材を取り付けているので、気密材の取付が容易である。
【０００８】
この際、ブロック状の弾性体である気密材３をバスユニットの側部２１３Ａ〜２１３Ｄの下部外面に取付け、前記気密材が前記基礎上に立設された壁の内面に当接するように前記バスユニットを設置区画に設置することで、前記バスユニットの側部の下部外面と、前記壁の内面との間の気密処理が行われることが望ましい。
ここで、気密材としては、気密性能を有するブロック状の弾性体であれば、任意のものを使用することができる。例えば、エチレン−プロピレンゴム（ＥＰＤＭ）、イソプレンゴム（ＩＲ）、ブタジエン−アクリロニトリルゴム（ＮＢＲ）、スチレン−ブタジエンゴム（ＳＢＲ）、シリコーンゴム、ウレタンゴム等を使用することが可能である。
【０００９】
基礎上には、少なくとも一枚の壁が立設されていればよいが、作業性を考慮すると、少なくとも直交する二枚の壁が立設された時点で、バスユニットを設置することが好ましい。
気密材は、弾性変形可能であるため、バスユニットの側部の下部外面と、壁との間を略完全に気密することができる。
【００１０】
また、前記バスユニットの底部２２外面及び前記基礎の内面に、シート状の気密材３’を取付け、前記気密材が重なり合うように前記バスユニットを設置区画内に設置することで、前記基礎の内面と、前記バスユニットの底部外面との間の気密処理が行われるものであってもよい。
ここで、気密性をより完全なものとしたい場合には、重なり合ったシート状の気密材同士を接着剤等で接合すればよい。
気密材をシート状のものとすれば、バスユニットを設置する際に、気密材同士が干渉しても、大きな摩擦が起こりにくく、バスユニットの設置を容易に行える。
【００１１】
この際　前記基礎上に直交する少なくとも二枚の壁１２３Ａ，１２３Ｂを立設し、前記バスユニット２の側部２１３Ａ〜２１３Ｄの外面に、スペーサ４を取付けた後、前記バスユニットを前記設置区画に設置すると、前記スペーサが前記壁に当接し、前記バスユニットが位置決めされることが好ましい。
バスユニットの側部の外面にスペーサを取り付けることで、バスユニットの設置位置を決めることができる。従って、気密処理を施すと同時に、設置位置の位置決めも行うことができるので、バスユニットの施工をより容易化できる。
【００１２】
本発明のバスユニットの設置構造は、建物１内の設置区画１１に設置されたバスユニット２の設置構造であって、前記設置区画を形成する基礎１２の内面、前記基礎上に立設された壁１２３Ａ〜１２３Ｄの内面及びバスユニット２の下部外面のうちの少なくとも何れか一方には、気密材３，３’が取り付けられており、前記気密材により、前記バスユニットの下部外面と、前記基礎の内面または壁の内面との間が塞がれていることを特徴とする。
気密材は、バスユニットの下部外面等に取り付けられているので、バスユニットを設置区画に設置すると同時に気密処理できる。また、バスユニットの下部外面等に予め気密材が取り付けられているので、バスユニットを設置した後、作業者の手が届かないような部分であっても確実に気密処理できる。
【００１３】
この際、前記気密材３は、前記バスユニットの側部の下部外面に取り付けられたブロック状の弾性体であり、この気密材により、前記バスユニットの側部２１３Ａ〜２１３Ｄの下部外面と、前記基礎上に立設された壁の内面との間が塞がれていることが好ましい。
気密材は、弾性変形可能であるため、バスユニットの側部の下部外面と、壁との間の隙間を略完全に、密閉することができる。
【００１４】
また、前記基礎の内面及び前記バスユニットの底部２２外面には、シート状の気密材３’が取り付けられており、前記気密材は互い重なり合っているものであってもよい。
気密材をシート状のものとすれば、バスユニットを設置する際に、気密材同士が干渉しても、大きな摩擦が起こりにくく、バスユニットの設置を容易に行える。
【００１５】
さらに、前記バスユニットの側部の外面には、前記基礎上に立設された直交する二枚の壁に当接するスペーサ４が取り付けられていることが好ましい。
バスユニットの側部の外面にスペーサを取り付けることで、バスユニットの設置位置を決めることができる。
【００１６】
この際、前記スペーサは、前記壁に当接するばね部４２を有することが望ましい。
スペーサをばね部を有するものとすることで、バスユニットの設置位置がずれてしまった場合でも、ばね部の付勢力により、バスユニットを所定位置に戻すことが可能である。
【００１７】
【発明の実施の形態】
以下、本発明の実施形態を図面に基づいて説明する。
図１には、建物１内に設置され、本発明の設置構造が適用されたバスユニット２が示されている。
このバスユニット２は、図２に示すように、建物１内に形成された設置区画１１に設置されている。この設置区画１１は、平面矩形形状であり、対向配置された基礎１２により形成されている。
基礎１２は、基礎本体１２０と、この基礎本体１２０上に設けられた土台１２１Ａまたは半土台１２１Ｂを有する。
【００１８】
この土台１２１Ａまたは半土台１２１Ｂ上には、壁１２３Ａ〜１２３Ｄが立設されている。ここで、図面左側の壁を壁１２３Ａ、奥側の壁を壁１２３Ｂ、左側の壁を壁１２３Ｃとする。なお、図２には図示されていないが、図７手前側の壁が壁１２３Ｄである。
また、設置区画１１に設置されたバスユニット２に対向する面を基礎１２及び壁１２３Ａ〜１２３Ｄの内面という。
基礎１２には、設置区画１１の一辺の長さ寸法と略等しい長さ寸法であり、断面Ｌ字形の架台受け１２４が取り付けられている。この架台受け１２４には、後述するバスユニット２の架台２２の係合片２２３が設置される。
【００１９】
図３にも示すように、バスユニット２は、バスユニット本体２１と、このバスユニット本体２１の下部に取り付けられ、バスユニット２の底部となる架台２２とを備える。
バスユニット本体２１は、洗い場を構成する平面形状矩形の防水パン（図示略）と、この防水パンに並設された浴槽２１２と、防水パンおよび浴槽２１２の周囲に立設された壁パネル２１３Ａ〜２１３Ｄと、この壁パネル２１３Ａ〜２１３Ｄの上部に架設された天井パネル２１４とを備えている。このバスユニット本体２１は、以上のような部材が組み合わされてボックス状に形成されている。
【００２０】
壁パネル２１３Ａ〜２１３Ｄは、バスユニット２の側部を構成するものであり、ここでは、バスユニット２を設置区画１１に設置した際に、壁１２３Ａに対向する壁パネルを壁パネル２１３Ａ、壁１２３Ｂに対向する壁パネルを壁パネル２１３Ｂ、壁１２３Ｃに対向する壁パネルを壁パネル２１３Ｃ、壁１２３Ｄに対向する壁パネルを壁パネル２１３Ｄとしている。
【００２１】
架台２２は、対向配置された基礎１２間に跨るように配置される架材２２１と、この架材２２１に直交して設けられる複数本のリブ２２２とを備えて構成されている。
架材２２１の両端には、リブ２２２に平行に延びる断面逆Ｌ字形の係合片２２３が取り付けられている。
また、リブ２２２は、防水パン及び浴槽２１２の下面に一体成形されている。
【００２２】
このようなバスユニット２の壁パネル２１３Ａ〜２１３Ｄの下部外面には、ブロック状の気密材３が取り付けられている。
この気密材３は弾性力を有するものであり、例えば、ＥＰＤＭ発泡材である。気密材３は、基礎１２上に立設された壁１２３Ａ〜１２３Ｄに当接し、バスユニット２の壁パネル２１３Ａ〜２１３Ｄの下部外面と、壁１２３Ａ〜１２３Ｄの内面との間を塞いでいる。従って、この気密材３により、バスユニット２と、壁１２３Ａ〜１２３Ｄとの間が気密処理されることとなる。
【００２３】
また、バスユニット２の壁パネル２１３Ａ，２１３Ｂの外面であって、気密材３の上方には、スペーサ４が取り付けられている。このスペーサ４は、設置区画１１に対するバスユニット２の位置決めを行うものである。
スペーサ４は、図４に示すように、固定部４１と、この固定部４１と連続したばね部４２とを有している。ばね部４２は中央部分が屈曲して突出しており、くの字型になっている。このばね部４２の突出寸法は、例えば、７．５ｃｍである。このばね部４２は、基礎１２上に直交するように立設された壁１２３Ａ，１２３Ｂに当接している。なお、このスペーサ４のばね部４２には、壁１２３Ａ，１２３Ｂを傷つけないようにＥＰＤＭ発泡材４３が接着されている。
【００２４】
さらに、バスユニット２の天井パネル２１４には、このバスユニット２を壁１２３Ａ，１２３Ｂに固定するための固定金具５が取り付けられている。この固定金具５は、図５に示すように、断面Ｌ字型形状であり、平板状のバスユニット固着部５１と、このバスユニット固着部５１に直交して設けられ、上方に延びる壁固着部５２とを有している。
【００２５】
バスユニット固着部５１には、ねじ止め用の二本の長穴５１１が平行に形成されている。この長穴５１１には、目盛りが刻まれており、ねじ止め位置の調整が容易に行えるようになっている。ここで、目盛りは、バスユニット固着部５１と壁固着部５２との接合部分からの距離を示しており、例えば、７．５ｃｍ、１１．０ｃｍ、１７．５ｃｍ、２４．０ｃｍ、２７．５ｃｍの目盛りが刻まれている。なお、本実施形態においては、スペーサ４のばね部４２の突出寸法が７．５ｃｍであるため、バスユニット２を壁１２３Ａ，１２３Ｂに固定する際には、固定金具５の目盛り７．５ｃｍの所に合わせてねじ止めを行えばよい。
また、壁固着部５２には、ねじ止め用の丸穴５２１が４個形成されている。
【００２６】
次に、バスユニット２の施工方法について図２及び図３に加え、図６及び図７をも参照して説明する。
まず、施工現場において、地盤上に基礎１２を対向配置して設け、設置区画１１を形成する。この基礎１２上に土台１２１Ａをアンカーボルト（図示略）で固定し、この土台１２１Ａ上に直交する二枚の壁１２３Ａ，１２３Ｂを立設する。
【００２７】
一方、予め、工場内でバスユニット本体２１を組み立てておく。そして、このバスユニット本体２１の下部に架台２２を取り付けてバスユニット２とする。さらに、バスユニット本体２１に気密材３、スペーサ４、固定金具５を取り付ける。
なお、輸送等の際のロープ等との干渉を考慮して、固定金具５はバスユニット２の天井パネル２１４から水平方向に突出しないように固定しておく。
【００２８】
このバスユニット２を施工現場までトラックにて輸送し、クレーンを使って設置区画１１に吊り込み、架台２２の係合片２２３を架台受け１２４に係止させる。この際、吊り込むと同時に、気密材３が壁１２３Ａ，１２３Ｂに当接するため、気密処理が施されることとなる。
その後、壁１２３Ａ，１２３Ｂ以外の壁１２３Ｃ，１２３Ｄを立設し、バスユニット２を固定金具５により、壁１２３Ａ，１２３Ｂに固定する。さらに、壁１２３Ｄ及び壁１２３Ａ〜１２３Ｄ上に設置される天井１２５を取り付けてバスユニット２の施工を終了する。
【００２９】
従って、本実施形態によれば、以下の効果を奏することができる。
バスユニット２を設置区画１１に設置する前に、バスユニット２の壁パネル２１３Ａ〜２１３Ｄに、気密材３を取り付けており、設置区画１１にバスユニット２を設置すると同時に、バスユニット２の壁パネル２１３Ａ〜２１３Ｄの下部外面と、壁１２３Ａ〜１２３Ｄの内面との間の気密処理を行うことができる。従って、気密処理に手間がかからない。
また、気密材３は、予めバスユニット２に取り付けられているので、バスユニット２を設置した後で作業者の手が届かないような部分も確実に気密処理できる。
さらに、バスユニット２を設置する前に気密材３を取り付けているので、気密材３の取付が容易である。
気密材３は、ＥＰＤＭ発泡材により構成されており、弾性変形可能であるため、バスユニット２の壁パネル２１３Ａ〜２１３Ｄと、壁１２３Ａ〜１２３Ｄとの間を略完全に気密することができる。
【００３０】
また、壁１２３Ａ〜１２３Ｄを立設した後、壁１２３Ａ〜１２３Ｄの上部からバスユニット２を吊り込むこともできるが、この場合、設置区画１１の四辺が壁１２３Ａ〜１２３Ｄで囲まれることとなるので、壁がじゃまになり、設置作業をスムーズに行うことが困難となる。本実施形態では、壁１２３Ａ，１２３Ｂの二枚を立設させた時点で、バスユニット２を設置区画１１に設置しており、スムーズにバスユニット２の設置を行うことができる。
【００３１】
さらに、壁１２３Ａ，１２３Ｂを立設した後、バスユニット２を設置しているため、バスユニット２に取り付けられたスペーサ４を利用して、バスユニット２の設置位置を的確に決めることができる。
また、スペーサ４は、壁１２３Ａ，１２３Ｂに当接するばね部４２を有しているので、バスユニット２の設置位置がずれてしまった場合でも、ばね部４２の付勢力により、バスユニット２を所定位置に戻すことが可能である。
【００３２】
固定金具５の長穴５１１には、目盛りが刻まれているので、スペーサ４のばね部４２の突出寸法に合わせて、容易にねじ止めを行うことができる。
【００３３】
なお、本発明は前述の実施の形態に限定されるものではなく、本発明の目的を達成できる範囲での変形、改良等は本発明に含まれるものである。
例えば、前記実施形態では、ブロック状の気密材３により、気密処理を施していたが、本発明では、図８に示すように、シート状の気密材３’を用いてもよい。この場合、予め、バスユニット２の底部外面、例えば、リブ２２２の外面と、基礎１２の内面との双方に気密材３’を取り付けておく。なお、気密材３’は、取付部材１２６を介して基礎１２に取り付けられることが好ましい。バスユニット２を設置区画１１に設置すると、気密材３’が重なり合って、気密処理が施される。さらに、より完璧に気密処理を施したい場合には、気密材３’同士を接着剤等で接続する。このように、シート状の気密材３’を使用した場合には、バスユニット２を設置する際に、気密材３’同士が摩擦を起こしにくいので、バスユニット２の設置作業を容易に行える。なお、この場合、前記実施形態のように、バスユニット２を基礎１２により支持する構造とはせず、直接、設置区画１１の基盤により支持する構造とすることが好ましい。具体的には、架台２２の係合片２２３や架材２２１を設けず、バスユニット本体２１から設置区画１１の基盤にまで達する長いリブ（図示略）によりバスユニット本体２１を支持する構造とする。
【００３４】
さらに、バスユニット本体２１の壁パネル２１３Ａ，２１３Ｂにブロック状の気密材３と、シート状の気密材３’の両方を取り付けて、気密処理を行ってもよい。このようにすれば、より一層の高断熱・高密度化を図ることができる。
さらに、前記実施形態では、気密材３を工場において、バスユニット２に取り付けていたが、これに限らず、施工現場で、取り付けてもよい。
また、気密材３をバスユニット２ではなく、基礎１２上の壁１２３Ａ〜１２３Ｄに取り付けてもよい。このようにすれば、バスユニット２を吊り上げる際に、気密材３がロープ等と干渉することがない。
【００３５】
また、基礎１２上に二枚の壁１２３Ａ，１２３Ｂを立設してから、バスユニット２を吊り込んだが、壁１２３Ｃ、さらには、壁１２３Ｄを立設した後に、バスユニット２を吊り込んでもよい。ただし、この場合、設置区画１１の三辺あるいは四辺に壁１２３Ａ〜１２３Ｄが立設されていることとなるので、吊り込みにくいという問題が生じる。これに対し、前記実施形態では、壁１２３Ａ，１２３Ｂが立設されて時点で、バスユニット２を吊り込んでいるので、吊り込みにくいという問題を解消できる。
【００３６】
前記実施形態では、スペーサ４をばね部４２を有するものとしたが、これに限らず、例えば、ばね性のない金属や、強化プラスチックや硬質ゴムなどの材料により構成してもよい。さらに、スペーサ４を設けなくてもよい。ただし、スペーサがない場合には、バスユニット２の位置決めに手間を要する可能性もある。
【００３７】
【発明の効果】
このような請求項１記載の発明によれば、気密材がバスユニットの下部外面と、基礎または壁の内面との間を塞ぐようにバスユニットを設置区画に設置することで、同時に、バスユニットの下部外面と、基礎または壁の内面との間の気密処理を行うことができ、気密処理に手間がかからない。
また、予め、気密材は、バスユニットの下部等に取り付けられているので、バスユニットを設置した後に作業者の手が届かないような部分も確実に気密処理できる。
さらに、バスユニットを設置する前に気密材を取り付けているので、気密材の取付が容易である。
【００３８】
請求項２に記載の発明によれば、気密材は、弾性変形可能であるため、バスユニットの側部の下部外面と、壁との間を略完全に気密することができる。
請求項３に記載の発明によれば、気密材をシート状のものとすれば、バスユニットを設置する際に、気密材同士が干渉しても、大きな摩擦が起こりにくく、バスユニットの設置を容易に行える。
【００３９】
請求項４に記載の発明によれば、バスユニットの側部の外面にスペーサを取り付けることで、バスユニットの設置位置を決めることができる。従って、気密処理を施すと同時に、設置位置の位置決めも行うことができるので、バスユニットの施工をより容易化できる。
【００４０】
請求項５に記載の発明によれば、気密材は、バスユニットの下部外面等に取り付けられているので、バスユニットを設置区画に設置すると同時に気密処理できる。また、バスユニットの下部外面等に予め気密材が取り付けられているので、バスユニットを設置した後、作業者の手が届かないような部分であっても確実に気密処理できる。
【００４１】
請求項６に記載の発明によれば、気密材は、弾性変形可能であるため、バスユニットの側部の下部外面と、壁との間の隙間を略完全に、密閉することができる。
請求項７に記載の発明によれば、気密材をシート状のものとすれば、バスユニットを設置する際に、気密材同士が干渉しても、大きな摩擦が起こりにくく、バスユニットの設置を容易に行える。
【００４２】
請求項８に記載の発明によれば、バスユニットの側部の外面にスペーサを取り付けることで、バスユニットの設置位置を決めることができる。
請求項９に記載の発明によれば、スペーサをばね部を有するものとすることで、バスユニットの設置位置がずれてしまった場合でも、ばね部の付勢力により、バスユニットを所定位置に戻すことが可能である。
【図面の簡単な説明】
【図１】本発明の実施形態のバスユニットの設置構造が適用された建物を示す斜視図である。
【図２】前記バスユニットの設置構造を示す断面図である。
【図３】前記バスユニットの斜視図である。
【図４】スペーサを示す斜視図である。
【図５】固定金具を示す斜視図である。
【図６】バスユニットの施工方法を示す斜視図である。
【図７】バスユニットの施工方法を示す斜視図である。
【図８】本発明の変形例を示す断面図である。
【符号の説明】
１　　　建物
２　　　バスユニット
３　　　気密材
３’　　気密材
４　　　スペーサ
１１　　　設置区画
１２　　　基礎
１２３Ａ〜１２３Ｄ　　　壁
２１３Ａ〜２１３Ｄ　　　壁パネル
【図１】
2004036125.tif 000003
【図２】
2004036125.tif 000004
【図３】
2004036125.tif 000005
【図４】
2004036125.tif 000006
【図５】
2004036125.tif 000007
【図６】
2004036125.tif 000008
【図７】
2004036125.tif 000009
【図８】
2004036125.tif 000010